(57)【特許請求の範囲】
【請求項１】
（イ）  収縮率の異なる複数種類の経糸（２１・２２）と収縮率の異なる複数種類の緯糸（２３・２４）によって織成され、（ロ）  収縮率が最も大きい最高収縮性経糸（２１）と緯糸（２３）の収縮性が製織後に顕現して経糸方向と緯糸方向に最高収縮性経糸（２１）の収縮率と最高収縮性緯糸（２３）の収縮率に応じて収縮しており、（ハ）  風通組織を含む複数種類の織組織（１１〜１６）によってそれぞれ構成される複数種類の織組織をそれぞれ画素とする複数種類の図形によって構成される絵柄が織り出されており、（ニ）  風通組織（１６）を画素とする少なくとも一部の風通図形において最高収縮性経糸（２１）および緯糸（２３）と最低収縮性経糸（２２）および緯糸（２４）が表裏に織り分けられており、（ホ）  その織り分けられた最低収縮性経糸（２２）と緯糸（２４）を含む低収縮織地（２７）が最高収縮性経糸（２１）と緯糸（２３）を含む高収縮織地（２５）の表面に膨出した膨出図形を形成しており、（ヘ）  それらの高収縮織地（２５）と膨出した低収縮織地（２７）が描く膨出図形の内部と外部の一方または双方に補強弛緩地（４１）と補強緊張地（３１）が重なり合った風通組織に成る補強部が構成されており、（ト）  その風通組織の補強部の補強弛緩地（４１）の収縮率が補強緊張地（３１）の収縮率よりも低く、その収縮率の低い補強弛緩地（４１）が膨出図形の風通組織の補強部の外側と内側の何れか一方に膨出しており、その膨出図形の中心部（１７）に高明度の経糸と緯糸が織り出されており、膨出図形の周辺部（１８）には低明度の経糸と緯糸が織り出されており、その膨出図形の中心部（１７）の明度が膨出図形の周辺部（１８）に比して明るく、その明度差に応じた陰影が膨出図形の周辺部（１８）に付けられている立体絵柄織物。
【請求項２】
（イ）  収縮率の異なる複数種類の経糸（２１・２２）と収縮率の異なる複数種類の緯糸（２３・２４）によって織成され、（ロ）  収縮率が最も大きい最高収縮性経糸（２１）と緯糸（２３）の収縮性が製織後に顕現して経糸方向と緯糸方向に最高収縮性経糸（２１）の収縮率と最高収縮性緯糸（２３）の収縮率に応じて収縮しており、（ハ）  風通組織を含む複数種類の織組織（１１〜１６）によってそれぞれ構成される複数種類の織組織をそれぞれ画素とする複数種類の図形によって構成される絵柄が織り出されており、（ニ）  風通組織（１６）を画素とする少なくとも一部の風通図形において最高収縮性経糸（２１）および緯糸（２３）と最低収縮性経糸（２２）および緯糸（２４）が表裏に織り分けられており、（ホ）  その織り分けられた最低収縮性経糸（２２）と緯糸（２４）を含む低収縮織地（２７）が最高収縮性経糸（２１）と緯糸（２３）を含む高収縮織地（２５）の表面に膨出した膨出図形を形成しており、（ヘ）  それらの高収縮織地（２５）と膨出した低収縮織地（２７）が描く膨出図形の内部と外部の一方または双方に補強弛緩地（４１）と補強緊張地（３１）が重なり合った風通組織に成る補強部が構成されており、（ト）  その風通組織の補強部の補強弛緩地（４１）の収縮率が補強緊張地（３１）の収縮率よりも低く、その収縮率の低い補強弛緩地（４１）が膨出図形の風通組織の補強部の外側と内側の何れか一方に膨出している立体絵柄織物。
【請求項３】
（イ）  収縮率の異なる複数種類の経糸（２１・２２）と収縮率の異なる複数種類の緯糸（２３・２４）によって織成され、（ロ）  収縮率が最も大きい最高収縮性経糸（２１）と緯糸（２３）の収縮性が製織後に顕現して経糸方向と緯糸方向に最高収縮性経糸（２１）の収縮率と最高収縮性緯糸（２３）の収縮率に応じて収縮しており、（ハ）  風通組織を含む複数種類の織組織（１１〜１６）によってそれぞれ構成される複数種類の織組織をそれぞれ画素とする複数種類の図形によって構成される絵柄が織り出されており、（ニ）  風通組織（１６）を画素とする少なくとも一部の風通図形において最高収縮性経糸（２１）および緯糸（２３）と最低収縮性経糸（２２）および緯糸（２４）が表裏に織り分けられており、（ホ）  その織り分けられた最低収縮性経糸（２２）と緯糸（２４）を含む低収縮織地（２７）が最高収縮性経糸（２１）と緯糸（２３）を含む高収縮織地（２５）の表面に膨出した膨出図形を形成しており、（ヘ）  それらの高収縮織地（２５）と膨出した低収縮織地（２７）が描く膨出図形の内部と外部の一方または双方に補強弛緩地（４１）と補強緊張地（３１）が重なり合った風通組織に成る補強部が構成されており、（ト）  その風通組織の補強部の補強弛緩地（４１）の収縮率が補強緊張地（３１）の収縮率よりも低く、その収縮率の低い補強弛緩地（４１）が膨出図形の風通組織の補強部の外側と内側の何れか一方に膨出しており、（チ）  膨出図形の中心部（１７）と補強弛緩地の中心部（４０）との少なくとも一方に高明度の経糸と緯糸が織り出されており、（リ）
膨出図形の周辺部（１８）には低明度の経糸と緯糸が織り出されており、（ヌ）  その膨出図形の中心部（１７）と補強弛緩地の中心部（４０）との少なくとも一方の明度が膨出図形の周辺部（１８）に比して明るく、その明度差に応じた陰影が膨出図形の周辺部（１８）に付けられている立体絵柄織物。
【発明の詳細な説明】
【技術分野】
【０００１】
本発明は、三次元空間に現われる事物を題材とする絵柄やイラスト、絵画、版画、印刷物、写真、幾何学図柄、色構成等の人工的に作り上げられた視覚的事物を、その題材とする事物に忠実に立体的に織り出した立体絵柄織物に関するものである。
【背景技術】
【０００２】
一部に収縮性糸条を用いて模様状に織成した風通組織の裏地を収縮させて表地を脹れ上がらせ、その表地の表面を皺立たせた風通織物は公知である（例えば、特許文献１、２参照）。
その風通織物において、複数種類の色糸と収縮性糸条を用いて、皺立模様をカラフルに描出すると共に、風通組織を表地と中間地と裏地との三重構造にし、その中間地を収縮させて皺立模様を消失し難くすることも公知である（例えば、特許文献３参照）。
【０００３】
三次元空間に現れる事物を題材とする絵柄の色彩を織組織一完全内の経糸と緯糸の接結点の密度と比率によって表現することによって題材とする事物の色彩を忠実に再現した絵柄織物は公知である（例えば、特許文献４、５、６参照）。
【先行技術文献】
【特許文献】
【０００４】
【特許文献１】特公平０２−０５２０２４
【特許文献２】特開平０２−１１２４３５
【特許文献３】特開平０４−３７０２４１
【特許文献４】特開平０１−０６８５４１
【特許文献５】特開平０８−３２５８９３
【特許文献６】特開２００３−２０１６４５
【発明の概要】
【発明が解決しようとする課題】
【０００５】
表地が膨出した風通組織は立体構造を成すものの、従来の絵柄織物に風通組織は採用されておらず、色彩はカラフルであっても従来の絵柄織物は立体感を欠くものであった。
【０００６】
そこで本発明は、絵柄織物の画素に風通組織を採用して絵柄織物の立体感を高めることを目的とする。
【課題を解決するための手段】
【０００７】
本発明に係る立体絵柄織物は、（イ）  収縮率の異なる複数種類の経糸２１・２２と収縮率の異なる複数種類の緯糸２３・２４によって織成され、（ロ）  収縮率が最も大きい最高収縮性経糸２１と緯糸２３の収縮性が製織後に顕現して経糸方向と緯糸方向に最高収縮性経糸２１の収縮率と最高収縮性緯糸２３の収縮率に応じて収縮しており（図１〜５）、（ハ）  風通組織を含む複数種類の織組織１１〜１６によってそれぞれ構成される複数種類の織組織をそれぞれ画素とする複数種類の図形によって構成される絵柄が織り出されており、（ニ）  風通組織１６を画素とする少なくとも一部の風通図形において最高収縮性経糸２１および緯糸２３と最低収縮性経糸２２および緯糸２４が表裏に織り分けられており（図９）、（ホ）  その織り分けられた最低収縮性経糸２２と緯糸２４を含む低収縮織地２７が最高収縮性経糸２１と緯糸２３を含む高収縮織地２５の表面に膨出した膨出図形を形成しており（図６）、（ヘ）  それらの高収縮織地２５と膨出した低収縮織地２７が描く膨出図形の内部と外部の一方または双方に補強弛緩地４１と補強緊張地３１が重なり合った風通組織に成る補強部が構成されており（図８）、（ト）  その風通組織の補強部の補強弛緩地４１の収縮率が補強緊張地３１の収縮率よりも低く、その収縮率の低い補強弛緩地４１が膨出図形の風通組織の補強部の外側と内側の何れか一方に膨出しており（図７）、その膨出図形の中心部１７に高明度の経糸と緯糸が織り出されており、膨出図形の周辺部１８には低明度の経糸と緯糸が織り出されており、その膨出図形の中心部１７の明度が膨出図形の周辺部１８に比して明るく、その明度差に応じた陰影が膨出図形の周辺部１８に付けられていることを第１の特徴とする。
【０００８】
本発明に係る立体絵柄織物は、（イ）  収縮率の異なる複数種類の経糸２１・２２と収縮率の異なる複数種類の緯糸２３・２４によって織成され、（ロ）  収縮率が最も大きい最高収縮性経糸２１と緯糸２３の収縮性が製織後に顕現して経糸方向と緯糸方向に最高収縮性経糸２１の収縮率と最高収縮性緯糸２３の収縮率に応じて収縮しており（図１〜５）、（ハ）  風通組織を含む複数種類の織組織１１〜１６によってそれぞれ構成される複数種類の織組織をそれぞれ画素とする複数種類の図形によって構成される絵柄が織り出されており、（ニ）  風通組織１６を画素とする少なくとも一部の風通図形において最高収縮性経糸２１および緯糸２３と最低収縮性経糸２２および緯糸２４が表裏に織り分けられており（図９）、（ホ）  その織り分けられた最低収縮性経糸２２と緯糸２４を含む低収縮織地２７が最高収縮性経糸２１と緯糸２３を含む高収縮織地２５の表面に膨出した膨出図形を形成しており（図６）、（ヘ）  それらの高収縮織地２５と膨出した低収縮織地２７が描く膨出図形の内部と外部の一方または双方に補強弛緩地４１と補強緊張地３１が重なり合った風通組織に成る補強部が構成されており（図８）、（ト）  その風通組織の補強部の補強弛緩地４１の収縮率が補強緊張地３１の収縮率よりも低く、その収縮率の低い補強弛緩地４１が膨出図形の風通組織の補強部の外側と内側の何れか一方に膨出していること（図７）を第２の特徴とする。
【０００９】
従って、本発明に係る立体絵柄織物は、（イ）  収縮率の異なる複数種類の経糸２１・２２と収縮率の異なる複数種類の緯糸２３・２４によって織成され、（ロ）  収縮率が最も大きい最高収縮性経糸２１と緯糸２３の収縮性が製織後に顕現して経糸方向と緯糸方向に最高収縮性経糸２１の収縮率と最高収縮性緯糸２３の収縮率に応じて収縮しており（図１〜５）、（ハ）  風通組織を含む複数種類の織組織１１〜１６によってそれぞれ構成される複数種類の織組織をそれぞれ画素とする複数種類の図形によって構成される絵柄が織り出されており、（ニ）  風通組織１６を画素とする少なくとも一部の風通図形において最高収縮性経糸２１および緯糸２３と最低収縮性経糸２２および緯糸２４が表裏に織り分けられており（図９）、（ホ）  その織り分けられた最低収縮性経糸２２と緯糸２４を含む低収縮織地２７が最高収縮性経糸２１と緯糸２３を含む高収縮織地２５の表面に膨出した膨出図形を形成しており（図６）、（ヘ）  それらの高収縮織地２５と膨出した低収縮織地２７が描く膨出図形の内部と外部の一方または双方に補強弛緩地４１と補強緊張地３１が重なり合った風通組織に成る補強部が構成されており（図８）、（ト）  その風通組織の補強部の補強弛緩地４１の収縮率が補強緊張地３１の収縮率よりも低く、その収縮率の低い補強弛緩地４１が膨出図形の風通組織の補強部の外側と内側の何れか一方に膨出しており（図７）、（チ）  膨出図形の中心部１７と補強弛緩地の中心部４０との少なくとも一方に高明度の経糸と緯糸が織り出されており、（リ）  膨出図形の周辺部１８には低明度の経糸と緯糸が織り出されており、（ヌ）  その膨出図形の中心部１７と補強弛緩地の中心部４０との少なくとも一方の明度が膨出図形の周辺部１８に比して明るく、その明度差に応じた陰影が膨出図形の周辺部１８に付けられていることを第３の特徴とする。
【発明の効果】
【００１０】
収縮率の異なる複数種類の経糸２１・２２と緯糸２３・２４によって織成される立体絵柄織物の絵柄を風通組織１６を含む複数種類の織組織をそれぞれ画素として織り出し、製織後に収縮率が最も大きい最高収縮性経糸と緯糸の収縮性を顕現させると、画素を構成している複数種類の織組織はそれぞれ種類に応じて膨出する。その場合、風通組織１６で構成される画素は、風通組織以外の非風通組織（１１〜１５）で構成される画素に比して大きく膨出する。
本発明によると、そのように立体絵柄織物の全体が非風通組織（１１〜１５）の種類に応じて膨出すると共に、絵柄に介在する風通組織１６で構成される画素が一層大きく膨出するので、三次元空間に存在する事物が絵具を厚く重ね塗りして描いた油絵のように重厚で質感に溢れた立体構造物として表現され、絵画、壁掛け、緞帳等の美術工芸品として付加価値の高い立体絵柄織物が得られる。
【００１１】
本発明では、その立体構造を成す膨出図形の中心部１７に高明度の経糸と緯糸を織り込むと共に膨出図形の周辺部１８には低明度の経糸と緯糸を織り込んで中心部１７と周辺部１８の間に明度差を付けているので、その立体構造による立体感が一層強まる。
【００１２】
その膨出図形において膨出した補強弛緩地４１は容易には押し潰されて平織地（１１〜１５）のように平板にはならず立体構造を維持してリブの如き補強効果を発揮するので、形状安定性に優れた立体絵柄織物を得ることが出来る。
【００１３】
本発明に係る立体絵柄織物は、高収縮織地２５と低収縮織地２７の間や補強緊張地３１と補強弛緩地４１の間に空気層が発生するので、吸音性や保温性、断熱性、遮視・隠蔽性に優れ、ロールスクリーンやローマンシェード等のカーテンその他の間仕切りとしても実用的である。
【図面の簡単な説明】
【００１４】
【図１】平織組織図（ａ）と製織直後の平織組織の斜視図（ｂ）と収縮性経糸と緯糸の収縮性の顕現した平織組織の斜視図（ｃ）の関係図である。
【図２】三枚綾織組織図（ａ）と製織直後の綾織組織の斜視図（ｂ）と収縮性経糸と緯糸の収縮性の顕現した綾織組織の斜視図（ｃ）の関係図である。
【図３】五枚朱子織組織図（ａ）と製織直後の五枚朱子織組織の斜視図（ｂ）と収縮性経糸と緯糸の収縮性の顕現した五枚朱子織組織の斜視図（ｃ）の関係図である。
【図４】八枚朱子織組織図（ａ）と製織直後の八枚朱子織組織の斜視図（ｂ）と収縮性経糸と緯糸の収縮性の顕現した八枚朱子織組織の斜視図（ｃ）の関係図である。
【図５】十二枚朱子織組織図（ａ）と製織直後の十二枚朱子織組織の斜視図（ｂ）と収縮性経糸と緯糸の収縮性の顕現した十二枚朱子織組織の斜視図（ｃ）の関係図である。
【図６】立体絵柄織物の斜視図である。
【図７】立体絵柄織物の断面拡大斜視図である。
【図８】立体絵柄織物の風通組織の断面図である。
【図９】立体絵柄織物の風通組織の断面図である。
【発明を実施するための形態】
【００１５】
一般通風組織１６における低収縮織地２７の膨出の度合いは、最高収縮性経糸２１と最低収縮性経糸２２の間の収縮率の差、および、最高収縮性緯糸２３と最低収縮性緯糸２４との収縮率の差、風通組織１６に成る風通図形の大きさ（寸法）、高収縮織地２５における経糸密度および緯糸密度に大きく左右される。
即ち、低収縮織地２７の膨出の度合いが最高収縮性経糸２１および緯糸２３と最低収縮性経糸２２および緯糸２４との間の収縮率差に左右されるとしても、高密に織成された高収縮織地２５では交絡する経糸２１や緯糸２３に妨げられ収縮し難く、又、経糸方向や緯糸方向における風通図形の寸法となる高収縮織地２５と低収縮織地２７との接結点１９と接結点１９’との間の距離Ｌ（Ｌａ，Ｌｂ，Ｌｃ，Ｌｄ，Ｌｅ）が短ければ低収縮織地２７の膨出の度合いは少なくなる（図９）。
【００１６】
図９は、一般通風組織１６における接結点間の距離（Ｌ）に応じて低収縮織地２７ａの膨出の度合いが変化することを図示するものである。
即ち、図９−ａに示す一般風通組織の接結点間の距離Ｌａが半減すれば低収縮織地２７ｂの膨出高さも半減し（図９−ｂ）、その半減した接結点間の距離Ｌｂが半減すれば低収縮織地２７ｃの膨出高さが更に半減し（図９−ｃ）、その半減した接結点間の距離Ｌｃが更に半減すれば低収縮織地２７ｄの膨出高さが更に半減し（図９−ｄ）、こうして接結点間の距離が限りなく減少して低収縮織地２７ｅの織組織が平織組織になれば、風通組織は解消して単なる二重織地となる（図９−ｅ）。
【００１７】
本発明の立体絵柄織物では、収縮率が最も大きい最高収縮性経糸２１と緯糸２３の収縮性が製織後に顕現して経糸方向と緯糸方向に最高収縮性経糸２１の収縮率と最高収縮性緯糸２３の収縮率に応じて収縮しており、風通組織に成る風通画素以外の非風通組織に成る非風通画素も収縮率の異なる複数種類の経糸２１・２２と収縮率の異なる複数種類の緯糸２３・２４によって織成され、収縮率が最も大きい最高収縮性経糸２１と緯糸２３の収縮性が製織後に顕現して経糸方向と緯糸方向に最高収縮性経糸２１の収縮率と最高収縮性緯糸２３の収縮率に応じて収縮しており、低収縮性経糸２２と低収縮性緯糸２４は高収縮性経糸２１および緯糸２３よりも外面に浮き出て来る。
その低収縮性経糸２２の浮出量は非風通組織の経糸方向における接結点と接結点の間に含まれる緯糸の本数と緯糸の見掛け太さとの積で表される接結点と接結点の間の距離（ｋf ）に応じて変化し、又、低収縮性緯糸２４の浮出量は非風通組織の緯糸方向における接結点と接結点の間に含まれる経糸の本数と経糸の見掛け太さとの積で表される接結点と接結点の間の距離（ｋw ）に応じて変化する。
【００１８】
図１〜図５は、その非風通組織における経糸の接結点間の距離（ｋw ）および緯糸の接結点間の距離（ｋf ）と低収縮性経糸２２および緯糸２４の浮出量の関係を図示するものであり、図１に図示する平織組織画素における浮出量は、低収縮性経糸２２と緯糸２４がそれぞれ交叉する１本の経糸と緯糸の太さに比例している。
図２に図示する綾織組織画素における浮出量は、低収縮性経糸２２と緯糸２４が接結点間において交叉するそれぞれ２本の経糸および緯糸の太さの和に比例している。
図３に図示する五枚朱子織組織画素における浮出量は、低収縮性経糸２２と緯糸２４が接結点間において交叉するそれぞれ４本の経糸および緯糸の太さの和に比例している。
図４に図示する八枚朱子織組織画素における浮出量は、低収縮性経糸２２と緯糸２４が接結点間において交叉するそれぞれ７本の経糸および緯糸の太さの和に比例している。
図５に図示する十二枚朱子織組織画素における浮出量は、低収縮性経糸２２と緯糸２４が接結点間において交叉するそれぞれ１１本の経糸および緯糸の太さの和に比例している。
【００１９】
膨出図形を構成する低収縮織地２７は、それぞれ複数種類の織組織（１１〜１６）によって構成される複数種類の非風通画素によって構成することも出来、その膨出図形の内部には複数種類の多重風通組織画素に成る補強部が含まれていてもよい（図８）。
【００２０】
このように多重風通組織画素を含む種々の組織画素によって膨出図形（１６）を構成することによって、膨出図形自体にも絵具を厚く重ね塗りした油絵のように重厚な質感を付与することが出来る。
【００２１】
カーテンその他の間仕切りに使用される立体絵柄織物では、一般風通組織における低収縮織地２７が高収縮織地２５の片面に膨出したものであってもよいし（図９）、多重風通組織において高収縮織地２５の表裏両面に膨出したものであってもよく、又、多重風通組織において低収縮織地２７と高収縮織地２５の間に比較的に収縮の少ない中収縮織地２６ａ・２６ｂを介在させることも出来る（図８−ｉ）。
又、膨出図の内部に形成される補強部の補強弛緩地４１の内部に更なる風通画素を配置して更なる補強二次弛緩地４２を形成することも出来る（図８−ｆ）。
【００２２】
図８は、このような多重風通組織１６の変形例を図示するものであり、図８（ａ）に図示する風通組織１６では、高収縮織地２５の片面に膨出した低収縮織地２７の内部に風通組織に成る補強部が配置され、高収縮した補強緊張地３１の表側に補強弛緩地４１が膨出している。
図８（ｂ）に図示する多重風通組織１６では、高収縮織地２５の両面に膨出した低収縮織地２７の内部に風通組織に成る２つの補強部が配置され、高収縮した補強緊張地３１の表側に補強弛緩地４１が膨出している。
図８（ｃ）に図示する多重風通組織１６では、高収縮織地２５の両面に膨出した低収縮織地２７の内部に風通組織に成る２つの補強部が配置され、その高収縮織地２５の片側の低収縮弛緩地４１の２つの補強部では補強緊張地３１の表裏に低収縮弛緩地４１ａ・４１ｂが膨出している。
図８（ｄ）に図示する多重風通組織１６では、高収縮織地２５の片面に膨出した低収縮織地２７の内部に風通組織に成る２つの補強部が配置され、それぞれ高収縮した補強緊張地３１の裏側に補強弛緩地４１が膨出している。
図８（ｅ）に図示する多重風通組織１６では、高収縮織地２５の両面に膨出した低収縮織地２７の内部に風通組織に成る補強部がそれぞれ配置され、それぞれ部分的に高収縮した補強緊張地３１の裏側に補強弛緩地４１が膨出している。
【００２３】
図８（ａ）〜図８（ｅ）が図示するように、本発明において、高収縮織地２５の片面に膨出する低収縮織地２７には高収縮織地２５に織り込まれている最高収縮性経糸２１や最高収縮性緯糸２３に比して収縮率が低い収縮性経糸や収縮性緯糸、或いは、高収縮織地２５に織り込まれている最高収縮性経糸２１や最高収縮性緯糸２３に比して数が少ない収縮性経糸や収縮性緯糸を織り込むことが出来、そうすることによって膨出する低収縮織地２７の形状安定性と立体感を高めことが出来る。
【００２４】
図８（ｆ）に図示する多重風通組織１６では、高収縮織地２５の両面に膨出した低収縮織地２７の内部に風通組織に成る２つの補強部が配置され、表側の低収縮織地２７の一つの補強部では補強緊張地３１の表側に補強弛緩地４１が膨出し、他の一つの補強部では補強緊張地３１の表裏に低収縮弛緩地４１ａ・４１ｂが膨出し、その表側に膨出した低収縮弛緩地４１ａには更なる風通組織が配置されて補強二次弛緩地４２が膨出しており、裏側の低収縮織地２７の一つの補強部では補強緊張地３１の内側に補強弛緩地４１が膨出し、他の一つの補強部には更なる風通組織の補強二次弛緩地３２が形成されている。
【００２５】
図８（ｇ）に図示する多重風通組織１６では、高収縮した高収縮織地２５の片面が膨出した低収縮織地２７に覆われ、その低収縮織地２７に覆われる高収縮織地２５の内部に補強部が配置され、補強緊張地３１の表側に膨出した低収縮織地２７の内側に向けて補強弛緩地４１が膨出している。
図８（ｈ）に図示する多重風通組織１６では、高収縮した高収縮織地２５の両面が膨出した低収縮織地２７に覆われ、その表裏の低収縮織地２７・２７に挟まれる高収縮織地２５の内部に補強部が配置され、その表裏の低収縮織地２７・２７の内側に向けて補強弛緩地４１・４１が膨出している。
図８（ｉ）に図示する多重風通組織１６では、高収縮した高収縮織地２５の表面では中収縮織地２６と低収縮織地２７とで二重に覆われ、その高収縮織地２５の裏面では第１中収縮織地２６ａと第２中収縮織地２６ｂとで二重に覆われ、それらに低収縮織地２７が重なって三重になって膨出しており、表面側の中収縮織地２６の内部には補強緊張地３１を表裏から２つの補強弛緩地４１・４１が挟む補強部が配置されており、表面側の低収縮織地２７の内部には風通組織に成る２つの補強部が配置されている。
【００２６】
図８（ｆ）〜図８（ｉ）が図示するように、多重風通組織において高収縮織地２５や低収縮織地２７の表裏に更に補強弛緩地４１を膨出させるときは立体絵柄織物が重厚で吸音性や保温性、断熱性、遮視・隠蔽性に富むものとなる。
【００２７】
本発明によると、図１〜図５が図示するように風通組織以外の非風通組織（１１〜１５）の種類に応じて画素が膨出すると共に、図９が図示するように一般風通組織において接結点間の距離（Ｌ）に応じて膨出度合いを変え、又、図８が図示するように多重風通組織の種類に応じて画素が膨出するので、三次元空間に存在する事物を題材とする絵柄を絵具を厚く重ね塗りして描いた油絵のように重厚で質感に溢れた立体構造物として表現することが可能となる。
【００２８】
経糸と緯糸の収縮性は、熱収縮によるものでも、水収縮によるものでもよい。
経糸と緯糸の収縮率は、繊維素材によって異なるが、熱収縮性繊維では熱処理温度と熱処理時間によって、水収縮性繊維では処理水にアルカリ金属塩や有機酸を配合することによって調整することが出来る。
立体絵柄織物には熱収縮性繊維糸条と水収縮性繊維を混用することが出来、熱処理と水処理を前後して行うことが出来る。
即ち、熱処理によって熱収縮性繊維糸条を収縮させ、その後の水処理によって水収縮性繊維糸条を収縮させることが出来、それとは逆に、水処理によって水収縮性繊維糸条を収縮させ、その後の熱処理によって熱収縮性繊維糸条を収縮させることも出来る。
【００２９】
図１〜図５は非風通組織の一例を示すものであり、平織組としては図１に示すものの他に２本経畦、３本経畦、４本経畦、２本緯畦、３本緯畦、４本緯畦、引揃平織、斜子織、不規則経畦、不規則斜子織、接結畦織、綾琥珀等を適用することが出来、綾織組としては図２に示すものの他に４枚斜紋、５枚斜紋、６枚斜紋、７枚斜紋、伸張斜紋織、破斜紋織、山形斜紋織、菱形斜紋織、曲斜紋織、撚斜紋織、飾斜紋織、飛斜紋織等を適用することが出来、朱子織組織としては図３〜５に示すものの他に六枚朱子織、七枚朱子織、九枚朱子織、十枚朱子織、十一枚朱子織、変則朱子織、横朱子織、重朱子織等を適用することが出来、又、緯二重織、経二重織、二重織、多重織等の重ね織組織も非風通組織として本発明に適用することが出来る。
【００３０】
立体絵柄織物には、原図の色彩に応じた複数種類の色糸が用意され、経糸（２１・２２）と緯糸（２３・２４）に用意される。
冒頭で説明したように、前掲特許文献４、５、６が示す通り、三次元空間に現れる事物を題材とする絵柄の色彩を織組織一完全内の経糸と緯糸の接結点の密度と比率によって表現することによって題材とする事物の色彩を忠実に再現した絵柄織物は公知であり、それらの色糸を公知の技法に従って織り込むことによってカラフルな立体絵柄織物を織成することが出来、その際、膨出図形の中心部１７や補強弛緩地の中心部４０に高明度の色糸を織り出す一方膨出図形の周辺部１８には低明度の色糸を織り出して、膨出図形の中心部１７や補強弛緩地の中心部４０と膨出図形の周辺部１８の間に色糸の明度差に応じた陰影を描出することが出来る。
その公知の技法に従って絵柄織物に事物の色彩を再現する際に、公知の技法に準じてコンピュータにおいて原図をスキャナー等で読み取ってデジタル入力し、そのデジタル入力した画像を画像編集作業において立体的表現要素として予め織パターンとして作成しておいた厚みの異なる非風通組織（図１〜５）と一般風通組織（図９）と多重風通組織（図８）の各織組織を画素としてデジタル画像にあてはめて立体絵柄織物を再現する。
【００３１】
このように本発明の特徴は、前掲特許文献４、５、６が示す色彩を基調とする絵画織の画素に異収縮糸条を素材とする立体的非風通組織と低収縮織地の膨出した風通組織を画素として付加して絵柄に生じる絵具を厚く重ね塗りしたかの如き重厚な質感と吸音性や保温、断熱、遮視・隠蔽等の機能性に認められる。
【産業上の利用可能性】
【００３２】
本発明に係る立体絵柄織物は、舞台衣装、絵画、壁掛け、緞帳等の美術工芸品やロールスクリーンやローマンシェード等のカーテンその他の間仕切りに使用することが出来る。
【符号の説明】
【００３３】
１１：平織組織
１２：綾織組織
１３：五枚朱子織組織
１４：八枚朱子織組織
１５：十二枚朱子織組織
１６：風通組織
１７：中心部
１８：周辺部
２１：最高収縮性経糸
２２：最低収縮性経糸
２３：最高収縮性緯糸
２４：最低収縮性緯糸
２５：高収縮織地
２６：中収縮織地
２７：低収縮織地
３１：補強緊張地
３２：補強二次弛緩地
４０：中心部
４１：補強弛緩地
４２：補強二次弛緩地
【図１】
0005967726.tif 000002
【図２】
0005967726.tif 000003
【図３】
0005967726.tif 000004
【図４】
0005967726.tif 000005
【図５】
0005967726.tif 000006
【図６】
0005967726.tif 000007
【図７】
0005967726.tif 000008
【図８】
0005967726.tif 000009
【図９】
0005967726.tif 000010